(57)【特許請求の範囲】
【請求項１】
通気性と弾性とを有する高通気性弾性体と、
前記高通気性弾性体の底面に重ね合わされる半硬質フォームであって、開口部を有する、半硬質フォームと、
前記開口部に嵌め込まれるファンであって、前記高通気性弾性体と前記半硬質フォームの間に挟まれるカラー部を有する、ファンと、
前記高通気性弾性体及び前記半硬質フォームの側面を囲繞するように配置され、発泡しつつ固化することにより発泡体部を形成する液状の発泡体原料が浸透可能である浸透膜と、を備える、クッション構造部品。
【請求項２】
前記半硬質フォームの底面には、スリットが形成され、
前記浸透膜は、筒状に形成され、一方の端縁近傍が前記スリットに押し込まれることで、前記半硬質フォームに固定されている、請求項１に記載されたクッション構造部品。
【請求項３】
通気性と弾性とを有する高通気性弾性体と、
前記高通気性弾性体の底面に固定手段によって固定されるファンと、
前記高通気性弾性体の側面及び底面を囲繞するように配置され、発泡しつつ固化することにより発泡体部を形成する液状の発泡体原料が浸透可能である浸透膜と、
を備え、
前記発泡体原料が前記ファンの前記固定手段の周辺にも浸透して固化するように、前記浸透膜は前記ファンの少なくとも一部を覆うように配置される、
クッション構造部品。
【請求項４】
前記浸透膜の底部には孔が形成されるとともに、前記ファンには括れ部が形成されて、前記ファンの前記括れ部に前記浸透膜の前記孔が嵌合するようになっている、請求項３に記載された、クッション構造部品。
【請求項５】
前記固定手段は、フォグリング、掛止腕、又は、掛止爪である、請求項３又は請求項４に記載された、クッション構造部品。
【請求項６】
前記浸透膜は、繊維により形成された布であり、
前記布を形成する前記繊維は、表面が露出しないように樹脂により被覆されている、請求項１乃至請求項５のいずれか一項に記載されたクッション構造部品。
【請求項７】
前記浸透膜は、モノフィラメントの繊維により形成された不織布である、請求項１乃至請求項６のいずれか一項に記載されたクッション構造部品。
【請求項８】
前記浸透膜は、孔部及びスリット部のいずれかを有する樹脂のフィルムである、請求項１乃至請求項７のいずれか一項に記載されたクッション構造部品。
【請求項９】
通気性と弾性とを有する高通気性弾性体と、液状の発泡体原料と、開口部を有する半硬質フォームと、カラー部を有するファンと、浸透膜と、を準備する工程と；
前記開口部に前記ファンを嵌め込むとともに、前記半硬質フォームと前記高通気性弾性体の間に前記カラー部を挟む工程と；
前記カラー部が挟まれた前記高通気性弾性体及び前記半硬質フォームの側面を前記浸透膜で覆う工程と；
前記浸透膜で覆われた前記高通気性弾性体及び前記半硬質フォームと、液状の前記発泡体原料と、を金型内に配置する工程と；
前記浸透膜を介して液状の前記発泡体原料を前記高通気性弾性体に含浸させる工程と；
前記発泡体原料を発泡させつつ固化させる工程と；を含む高通気性弾性体と発泡体部との接合体の製造方法。
【請求項１０】
通気性と弾性とを有する高通気性弾性体と、液状の発泡体原料と、固定手段を有するファンと、浸透膜と、を準備する工程と；
前記高通気性弾性体の底面に前記固定手段によって前記ファンを固定する工程と；
前記高通気性弾性体の側面及び底面を前記浸透膜で覆う工程と；
前記浸透膜で覆われた前記高通気性弾性体と、液状の前記発泡体原料と、を金型内に配置する工程と；
前記浸透膜を介して液状の前記発泡体原料を前記高通気性弾性体に含浸させる工程と；
前記発泡体原料を発泡させつつ固化させる工程と；を含む高通気性弾性体と発泡体部との接合体の製造方法。
【発明の詳細な説明】
【技術分野】
【０００１】
本発明は、クッション構造部品及び高通気性弾性体と発泡体部との接合体の製造方法に関するものである。
【背景技術】
【０００２】
環境への関心の高まりなどにより、車の低燃費技術の一つとしてアイドリングストップが普及してきた。アイドリングストップは車両停止時にエアコンも停止するため、搭乗者の感温を改善する要求が出てきている。また、ＥＶやＰＨＶなどの電力を主電源とする車両においては、ＨＥＶよりも航続距離がクリティカルな課題となる。この航続距離を伸ばすためにもエアコンの使用などによる電力を削減することは今後のＥＶやＰＨＶなどの航続距離改善には喫緊の課題である。
【０００３】
例えば、特許文献１には、弾性を有する複数の樹脂の線材が互いに絡み合いながら湾曲しつつ複数の接着点で互いに接着されることにより形成された立体網状構造体が開示されている。このような立体網状構造体は緩衝材として優れた特性を有する。また、このような立体網状構造体は通気性に優れる。
【先行技術文献】
【特許文献】
【０００４】
【特許文献１】特開平７−６０８６１号公報
【発明の概要】
【発明が解決しようとする課題】
【０００５】
他にも、背景となる技術においては、ブレスエアーなどの高通気弾性体をウレタンに一体発泡して、その後にファンやシートヒータなどを取り付けるようにされている。このため、シートサプライヤの作業負担が増えるばかりでなく、最終車両組み立てメーカーにおいても、ファン用とヒーター用の2つのコネクタを嵌合させなければならない。
【０００６】
車両メーカーにとっては、シート取付時のコネクタ数は作業効率向上のために厳しく規制されており、ＣＳ向上のために装備を増やそうとしても認められないことが多々ある。また、空調ユニット作成側においても、個別の車種に専用設計をしていたのでは設計コスト、管理コストなど作業が煩雑となりサプライ時の商品点数が増えることから、結果的にそれらにかかるコストを製品に反映せざるを得ず、価格競争力を失うことにつながる。
【０００７】
そこで、本発明は、空調シートを安価に、かつ、効率的に製造するためのクッション構造部品を提供することを目的としている。
【課題を解決するための手段】
【０００８】
前記目的を達成するために、本発明のクッション構造部品は、通気性と弾性とを有する高通気性弾性体と、前記高通気性弾性体の底面に重ね合わされる半硬質フォームであって、開口部を有する、半硬質フォームと、前記開口部に嵌め込まれるファンであって、前記高通気性弾性体と前記半硬質フォームの間に挟まれるカラー部を有する、ファンと、前記高通気性弾性体及び前記半硬質フォームの側面を囲繞するように配置され、発泡しつつ固化することにより発泡体部を形成する液状の発泡体原料が浸透可能である浸透膜と、を備える。
【発明の効果】
【０００９】
このように、本発明のクッション構造部品は、高通気性弾性体と、開口部を有する半硬質フォームと、開口部に嵌め込まれるファンであって高通気性弾性体と半硬質フォームの間に挟まれるカラー部を有するファンと、高通気性弾性体及び半硬質フォームの側面を囲繞するように配置され、発泡しつつ固化することにより発泡体部を形成する液状の発泡体原料が浸透可能である浸透膜と、を備えている。このような構成であるため、高通気性弾性体とファンとを一体化したうえで発泡体原料を発泡しつつ固化することで、作業コスト、ハーネス数を削減できる。したがって、空調シートを安価に、かつ、効率的に製造することができる。
【図面の簡単な説明】
【００１０】
【図１】実施例１のクッション構造の断面図である。
【図２】実施例１のクッション構造部品の分解斜視図である。
【図３】実施例１のクッション構造部品の断面図である。
【図４】実施例１のクッション構造部品の底面側から見た斜視図である。
【図５】実施例１のクッション構造部品のコネクタ近傍の拡大図である。
【図６】実施例２のクッション構造の断面図である。
【図７】実施例２のクッション構造部品の分解斜視図である。
【図８】実施例２のクッション構造部品の断面図である。
【図９】実施例２のクッション構造部品の変形例の分解斜視図である。
【図１０】実施例２のクッション構造部品の変形例の断面図である。
【図１１】固定手段としてのフォグリングの説明図である。（ａ）は斜視図であり、（ｂ）は側面図である。
【図１２】固定手段としての掛止腕の説明図である。（ａ）は斜視図であり、（ｂ）は側面図である。
【図１３】固定手段としての掛止爪の説明図である。（ａ）は斜視図であり、（ｂ）は側面図である。
【図１４】臀部に立体網状構造部を配置した変形例である。
【図１５】背中に立体網状構造部を配置した変形例である。
【発明を実施するための形態】
【００１１】
以下、本発明の実施の形態について図面を参照して説明する。ただし、以下の実施の形態に記載されている構成要素は例示であり、本発明の技術範囲をそれらのみに限定する趣旨のものではない。
【実施例１】
【００１２】
（構成）
まず、図１を用いて本実施例のクッション構造部品２を備えるクッション構造１の構成を説明する。本実施例のクッション構造１は、自動車のシートに適用されるものである。クッション構造１は、自動車の搭乗者の臀部及び脚部を支持する。クッション構造１は、クッション中央部１０６として、搭乗者の脚部を主に支持するクッション前部１０２と、搭乗者の臀部を主に支持するクッション後部１０４とを備える。クッション構造１は、さらにクッション中央部１０６の左右の両側にクッション側部（不図示）を備える。
【００１３】
図１〜図４に示すように、クッション前部１０２に配置されるクッション構造部品２は、弾性を有する複数の樹脂の線材が互いに絡み合いながら湾曲しつつ複数の接着点で互いに接着されることにより形成された、通気性と弾性とを有する高通気性弾性体としての立体網状構造部３と、立体網状構造部３の底面に重ね合わされる半硬質フォーム４であって、開口部４１を有する、半硬質フォーム４と、開口部４１に嵌め込まれるファン５であって、立体網状構造部３と半硬質フォーム４の間に挟まれるカラー部５１を有する、ファン５と、立体網状構造部３及び半硬質フォーム４の側面を囲繞するように配置され、発泡しつつ固化することにより発泡体部６を形成する液状の発泡体原料６０が浸透可能である浸透膜７と、立体網状構造部３の上に載置されるヒータ８と、を備えている。
【００１４】
立体網状構造部３は、全体として直方体形状に形成される。立体網状構造部３は、弾性を有する複数の樹脂線材が互いに絡み合いながら湾曲しつつ複数の接着点で互いに接着されることにより形成されている。樹脂線材は、熱可塑性樹脂により形成されている。熱可塑性樹脂としては、ポリエチレン、ポリプロピレンなどのポリオレフィン系、ポリエステル系ポリマー、ポリエステルエラストマー及びポリウレタン系ポリマーを適用することができる。
【００１５】
この樹脂線材の外周径は０．１〜７ｍｍとすることができる。樹脂線材は、内部が中空の線材とすることができる。樹脂線材の内部の中空率は５〜８０％とすることができる。樹脂線材によって立体網状構造部３を形成する際には、熱可塑性樹脂が押出機により溶融される。溶融された熱可塑性樹脂は、ノズルより複数の樹脂線材として射出され、自然落下させられる。未だ溶融状態の間に複数の樹脂線材を互いに接着点で接着させる。接着された樹脂線材が固化されることにより、立体網状構造部３を製造することができる。
【００１６】
半硬質フォーム４は、全体として長方形の板状に形成される。半硬質フォーム４は、クッション材（衝撃吸収材）等に用いられる半硬質ウレタンフォームであり、軟質フォームと硬質フォームの中間的な性質を示す。半硬質フォーム４の特徴としては、加工の汎用性が高く、円形や棒状から、打ちぬき加工、裁断まで様々な形状に対応できること、防音性や吸音性を有すること、弾性が高く緩衝材に適していること、断熱性にも優れ、保温、保冷に効果があること、などがある。そして、本実施例の半硬質フォーム４には、中央近傍に正方形の開口部４１が形成されている。開口部４１は、後述するファン５の（本体部の）外形とほぼ同一形状に形成され、ファン５（の本体部）が嵌め込まれるようになっている。また、図４に示すように、半硬質フォーム４の底面（裏面）には、開口部４１を囲むようにして複数のスリット４２が配置されている。また、スリット４２を形成しない場合であっても、治具を強く挿し込むのと同時にスリットが形成されて、フィルム（浸透膜）を固定させることもできる。
【００１７】
ファン５は、パーソナルコンピュータ等で電源やＣＰＵの冷却に使用される５ｍｍ〜５０ｍｍ程度の厚みのプロペラタイプの送風機（冷却ファン）である。なお、ファン５は、立体網状構造部３に所定の風量を送風できるものであれば、どのようなタイプのものであってもよい。ファン５のサイズとしては、例えば４０ｍｍ角、６０ｍｍ角、８０ｍｍ角、９０ｍｍ角、１２０ｍｍ角のものがある。そして、本実施例のファン５は、モータ及びプロペラを内蔵する略正方形状の本体部５０と、本体部の上部から横方向に薄く鍔状に拡がるカラー部５１と、を有している。本体部５０の外形は、半硬質フォーム４に設けた開口部４１と略同一である。カラー部５１の外形は、開口部４１の形状よりもひとまわり大きくされている。
【００１８】
発泡体部６は、液状の発泡体原料６０が発泡しつつ固化することにより形成される。発泡体原料６０は、具体的には、ポリウレタンであることが好ましいが、その他の発泡材料（例えば、発泡ＰＳ、発泡ＰＰ、発泡ＰＥなど）であってもよい。製造工程においては、発泡体原料６０は、浸透膜７を介して、立体網状構造部３に隣接する位置に、型の中に液体の状態で流し込まれる。そうすると、浸透膜７を介して発泡体原料６０の一部が立体網状構造部に含浸させられる。そして、浸透膜７の重ね合せた枚数、又は、スリット若しくは空隙部の大きさに応じた含浸量の含浸部が形成される。なお、本実施形態では、発泡体原料６０の全てが立体網状構造部３に含浸させられても良い。
【００１９】
浸透膜７は、繊維が織り込まれて形成された布である。浸透膜７の繊維は、ビニル等の樹脂によって被覆されている。繊維と繊維の間には、発泡体原料が浸透可能な空隙部を有する。浸透膜には、例えば、発泡塩化ビニル等により製造された滑り止めシート等を適用することができる。浸透膜７は、筒状に形成されている。浸透膜７の上下方向の幅は、立体網状構造部３と半硬質フォーム４の厚みを足した長さよりも、長くされている。浸透膜７の一方の端縁近傍（図中では上端近傍）は周方向の長さが短くされて狭くされ、他方の端縁近傍（図中では下側近傍）は狭くされることなく、半硬質フォーム４のスリット４２に押し込まれている。
【００２０】
発泡体原料の立体網状構造部３への含浸量を調整するために、単位時間当たりに浸透膜７を浸透する発泡体原料６０の量が調整される。具体的には、発泡体原料６０の立体網状構造部３への含浸量を調整するために、浸透膜７が複数枚重ねられて立体網状構造部３の側面に配置されていても良い。また、浸透膜７の空隙部の大きさを変更することにより、単位時間当たりに浸透膜７を浸透する発泡体原料６０の量を調整することもできる。例えば、繊維を被覆する樹脂被覆の量を増加させることにより、空隙部の大きさをより小さくした浸透膜７を製造することができる。
【００２１】
なお、浸透膜７の代わりに、モノフィラメント繊維により形成された不織布である浸透膜を適用することもできる。さらに、浸透膜７の代わりに、発泡体原料が浸透可能な円形状や三角形や四角形などの孔部を有する樹脂フィルムである浸透膜を適用することもできる。他にも、浸透膜７の代わりに、発泡体原料が浸透可能な細長いスリット部を有する樹脂フィルムである浸透膜を適用することもできる。
【００２２】
さらに、浸透膜７の代わりに、樹脂フィルムの表面において、頂部で屈曲したＬ字状のスリット部を有する樹脂フィルムである浸透膜を適用することができる。樹脂フィルムの表面において、互いに反対の方向に屈曲する一対のスリット部同士は、それぞれの頂部同士が互いに対向するように配置されている。頂部で互いに対向する一対のスリット部は、互いに発泡体原料を対向する方向に向けて浸透させる。これにより、一対の頂部が互いに対向するスリット部から浸透した発泡体原料は、少量であっても互いに他のスリット部から浸透した発泡体原料と結合し易くなる。
【００２３】
あるいは、浸透膜７の代わりに、樹脂フィルムの表面において、頂部で湾曲したＣ字状（中心角１８０度）のスリット部を有する樹脂フィルムである浸透膜を適用することができる。樹脂フィルムの表面において、互いに反対の方向に湾曲する一対のスリット部同士は、それぞれの頂部が互いに対向するように配置されている。湾曲したスリット部を有する浸透膜は、上記浸透膜と同様の作用を有する。
【００２４】
また、浸透膜７の代わりに、樹脂フィルムの表面において、頂部で屈曲したＬ字状のスリット部を有する樹脂フィルムである浸透膜を適用することができる。樹脂フィルムの表面において、互いに同じ方向に屈曲する一対のスリット部同士は、それぞれの頂部が互いに同じ方向に向くように配置されている。頂部で互いに同じ方向を向くスリット部は、互いに発泡体原料を同じ方向に向けて浸透させる。これにより、一対の頂部が互いに同じ方向を向くスリット部から浸透した発泡体原料は、浸透膜からより近い距離で固化し易くなる。
【００２５】
あるいは、浸透膜７の代わりに、樹脂フィルムの表面において、頂部で湾曲したＣ字状（中心角１８０度）のスリット部を有する樹脂フィルムである浸透膜を適用することができる。樹脂フィルムの表面において、互いに同じ方向に湾曲する一対のスリット部同士は、それぞれの頂部が互いに同じ方向を向くように配置されている。湾曲したスリット部を有する浸透膜は、上記浸透膜と同様の作用を有する。
【００２６】
ヒータ８は、平板状の本体部８０に電熱線８１をジグザグ状に配置して形成されるものであり、電源ケーブルの先端にコネクタ８２を有している。ヒータ８の電源ケーブルは、立体網状構造部３と発泡体部６の間を通されて、ファン５のコネクタ５６と１つにまとめられる。つまり、図５に示すように、ヒータ８のコネクタ８２に、ファン５のコネクタ５６が接続（連結）されて１つのコネクタとされる。そして、組み立て作業の際には、１つのコネクタとなって、車両側のコネクタ９１に接続される。
【００２７】
（接合体の製造方法）
次に、接合体の製造方法について説明する。あらかじめ、立体網状構造部３と、液状の発泡体原料６０と、半硬質フォーム４と、ファン５と、浸透膜７と、を準備しておく（準備する工程）。次に、半硬質フォーム４の開口部４１にファン５の本体部５０を嵌め込み、半硬質フォーム４の上面と立体網状構造部３の下面の間にファン５のカラー部５１を挟むようにして、半硬質フォーム４と立体網状構造部３を重ね合わせる（挟む工程）。次に、重ね合わされた状態の立体網状構造部３及び半硬質フォーム４の側面を浸透膜７で覆う（覆う工程）。この際、浸透膜７は引き延ばされつつ、立体網状構造部３及び半硬質フォーム４を収容する。次に、半硬質フォーム４からはみ出した浸透膜７は、コ字断面の治具９０を用いて、半硬質フォーム４の底面に設けたスリット４２に押し込まれる。このようにして、クッション構造部品２が一体化される。また、スリットに関しては事前に半硬質フォームの底面に設けることも可能だが、コの字断面の治具９０を用いて押し込むと同時に半硬質フォームにスリットを形成することも可能である。
【００２８】
次に、一体化されたクッション構造部品２が金型の中に配置される（配置する工程）。次に、液状の発泡体原料６０が金型の中に流し込まれる。これにより、浸透膜７に隣接するように、発泡し立ち上がった液状の発泡体原料６０が配置される。次に、浸透膜７を介して発泡体原料６０の一部が立体網状構造部３に含浸させられる（含浸させる工程）。そうすると、浸透膜７の重ね合せた枚数、又は孔部の大きさやスリット若しくは空隙部の大きさに応じた含浸量の含浸部が形成される。
【００２９】
ここで、頂部で屈曲したＬ字状のスリット部を有する樹脂フィルムの浸透膜を浸透膜７に替えて使用した場合は、頂部で互いに対向するスリット部同士は、互いに発泡体原料６０を対向する方向に向けて浸透させる。これにより、一対の互いに頂部で対向するスリット部から浸透した発泡体原料６０は、少量であっても互いに他のスリット部から浸透した発泡体原料と結合し易くなる。そのため、より少ない含浸量により、より強い接合強度を得ることができる。
【００３０】
あるいは、頂部で屈曲したスリット部を有する樹脂フィルムの浸透膜を浸透膜７に替えて使用した場合は、頂部で互いに同じ方向を向くスリット部同士は、互いに発泡体原料６０を同じ方向に向けて浸透させる。これにより、一対の頂部が互いに同じ方向を向くスリット部から浸透した発泡体原料６０は、浸透膜からより近い距離で固化し易くなる。そのため、より少ない含浸量により、より強い接合強度を得ることができる。
【００３１】
次に、発泡体原料６０を発砲させつつ固化させることにより（固化させる工程）、発泡体部６が形成される。換言すると、立体網状構造部３の含浸部に含浸させられた発泡体原料６０が固化することにより、立体網状構造部３と発泡体部６とが接合される。その後、立体網状構造部３と発泡体部６とが接合された接合体が金型から取り出される。
【００３２】
（効果）
次に、本実施例のクッション構造部品２の奏する効果を列挙して説明する。
【００３３】
（１）上述してきたように、本実施例のクッション構造部品２は、弾性を有する複数の樹脂の線材が互いに絡み合いながら湾曲しつつ複数の接着点で互いに接着されることにより形成された立体網状構造部３と、立体網状構造部３の底面に重ね合わされる半硬質フォーム４であって、開口部４１を有する、半硬質フォーム４と、開口部４１に嵌め込まれるファン５であって、立体網状構造部３と半硬質フォーム４の間に挟まれるカラー部５１を有する、ファン５と、立体網状構造部３及び半硬質フォーム４の側面を囲繞するように配置され、発泡しつつ固化することにより発泡体部６を形成する液状の発泡体原料６０が浸透可能である浸透膜７と、を備えている。このような構成であるため、立体網状構造部３とファン５とを一体化したうえで発泡体原料６０を発泡しつつ固化することで、車両とシートのアッセンブリ時の作業コスト、ハーネス数を削減できる。したがって、空調シートを安価に、かつ、効率的に製造することができる。
【００３４】
すなわち、浸透膜７を介して発泡体原料６０が立体網状構造部３に含浸させられる。また、発泡体原料６０が固化させられる。立体網状構造部３に含浸させられた発泡体原料６０は、立体網状構造部３の複数の樹脂線材と広い面積で接しつつ固化させられる。このため、接合強度を向上させた立体網状構造部３と発泡体部６との接合体を製造することができる。
【００３５】
また、浸透膜７に隣接するように発泡体原料６０を配置し、浸透膜７を介して発泡体原料６０を立体網状構造部３に含浸させる。よって、浸透膜７の発泡体原料６０が浸透可能な量を調整することにより、発泡体原料６０が立体網状構造部３に含浸した後に固化したことにより形成される含浸部の幅を調整することができる。
【００３６】
この際に、半硬質フォーム４の開口部４１にファン５を嵌め込み、立体網状構造部３（及び半硬質フォーム４）とファン５を一体化した状態で、発泡体原料６０を発泡することで、ファン５を取り付ける作業コストを削減できるうえ、ハーネス数も削減できる。つまり、発泡体原料６０を固化する過程において、ファン５を立体網状構造部３と半硬質フォーム４とによって挟み込んで固定することができるため、ファン５を固定する作業が必要なくなる。また、半硬質フォーム４の開口部４１にファン５を嵌め込むことで、ファン５を正確な位置に固定できる。
【００３７】
さらに、図１、図２に示すように、ヒータ８を立体網状構造部３の上面に設置する場合には、立体網状構造部３と半硬質フォーム４の間にヒータ８用の配線を通して裏側まで回すことで、図５に示すように、ファン５用のコネクタ５６とヒータ８用のコネクタ８２とを１つにまとめることができる。したがって、車両の組み立て作業者は、車両側のコネクタ９１と、ヒータ５用コネクタ５６及びファン８用コネクタ８２と、をワンタッチで接続することができる。
【００３８】
（２）また、半硬質フォーム４の底面には、スリット４２が形成され、浸透膜７は、筒状に形成され、一方の端縁近傍がスリット４２に押し込まれることで、半硬質フォーム４に固定されるため、浸透膜７を簡単な作業によって固定することができる。この工程はスリット４２へコの字断面の挿入具にて固定すると同時に形成することが可能である。さらに、半硬質フォーム４の底面に浸透膜７を留めることで、クッション構造部品３としての一体性を高めることができる。
【００３９】
（３）さらに、浸透膜７は、繊維により形成された布であり、布を形成する繊維は、表面が露出しないように樹脂により被覆されている。このため、発泡体原料６０が浸透膜７を介して立体網状構造部３に含浸する際に、発泡体原料６０の気泡が布を形成する繊維の凹凸により消滅し難い。よって、発泡体原料６０の気泡が消滅することにより、立体網状構造部３の発泡体原料６０が含浸した含浸部が硬化することを防止することができる。この場合、空隙部の大きさをより小さくすることにより、含浸量を減少させることができる。
【００４０】
（４）また、浸透膜７は、モノフィラメントの繊維により形成された不織布である。モノフィラメント繊維は、マルチフィラメントの繊維のような表面の凹凸が無い。また、不織布は、織物の布に比べて発泡体原料６０が浸透する部分の凹凸が少ない。このため、発泡体原料６０が浸透膜７を介して立体網状構造部３に含浸する際に、発泡体原料６０の気泡が布を形成する繊維の凹凸により消滅し難い。よって、発泡体原料６０の気泡が消滅することにより、立体網状構造部３の発泡体原料６０が含浸した含浸部が硬化することを防止することができる。
【００４１】
（５）さらに、浸透膜７は、孔部及びスリット部のいずれかを有する樹脂のフィルムである。樹脂フィルムは、織物の布のような繊維による凹凸が無い。このため、発泡体原料６０が浸透膜７を介して立体網状構造部３に含浸する際に、発泡体原料６０の気泡が布を形成する繊維の凹凸により消滅しない。よって、発泡体原料６０の気泡が消滅することにより、立体網状構造部３の発泡体原料６０が含浸した含浸部が他の部分に比べて硬化することを防止することができる。
【００４２】
（６）そして、本実施例の立体網状構造部３と発泡体部６の接合体の製造方法は、弾性を有する複数の樹脂の線材が互いに絡み合いながら湾曲しつつ複数の接着点で互いに接着されることにより形成された立体網状構造部３と、液状の発泡体原料６０と、開口部４１を有する半硬質フォーム４と、カラー部５１を有するファン５と、浸透膜７と、を準備する工程と；開口部４１にファン５を嵌め込むとともに、半硬質フォーム４と立体網状構造部３の間にカラー部５１を挟む工程と；カラー部５１が挟まれた立体網状構造部３及び半硬質フォーム４の側面を浸透膜７で覆う工程と；浸透膜７で覆われた立体網状構造部３及び半硬質フォーム４（すなわち、一体化されたクッション構造部品２）と、液状の発泡体原料６０と、を金型内に配置する工程と；浸透膜７を介して液状の発泡体原料６０を立体網状構造部３に含浸させる工程と；発泡体原料６０を発泡させつつ固化させる工程と；を含んでいる。このため、立体網状構造部３とファン５とを一体化したうえで発泡体原料６０を発泡しつつ固化することで、作業コスト、ハーネス数を削減できる。したがって、空調シートを安価に、かつ、効率的に製造することができる。
【実施例２】
【００４３】
以下、図６〜図１３を用いて、実施例１とは異なる形態のクッション構造部品２Ａ（２Ｂ）を備えるクッション構造１Ａについて説明する。なお、前記実施の形態で説明した内容と同一乃至均等な部分の説明については同一符号を付して説明する。
【００４４】
まず、図６を用いて、本実施例のクッション構造１Ａについて説明する。本実施例のクッション構造１Ａは、クッション中央部１０６として、クッション前部１０２と、クッション後部１０４とを備える。クッション構造１Ａは、さらにクッション側部（不図示）を備える。そして、本実施例のクッション構造１Ａは、クッション前部１０２よりも前方の部分と、クッション後部１０４とが、クッション側部によって繋がってはいることに加え、クッション前部１０２（すなわち、クッション構造部品２）の下方において発泡体部６によって繋がっている。換言すると、実施例１では、クッション構造部品２が半硬質フォーム４を備えていたのに対して、実施例２では、クッション構造部品２Ａが半硬質フォームを備えていない。
【００４５】
次に、図７、図８を用いて、本実施例のクッション構造部品２Ａの構成について説明する。クッション構造部品２Ａは、立体網状構造部３と、立体網状構造部３の底面に固定手段によって固定されるファン５と、立体網状構造部３の側面及び底面を囲繞するように配置され、発泡しつつ固化することにより発泡体部６を形成する液状の発泡体原料６０が浸透可能である浸透膜７と、を備える。
【００４６】
ファン５は、実施例１と異なり、本体部５０と、（第１の）カラー部５１と、に加えて、第２のカラー部５２をさらに備えている。第２のカラー部５２は、第１のカラー部５１と略平行に、本体部の上部から横方向に薄く鍔状に拡がるように形成される。第２のカラー部５２の長さ（幅）は、第１のカラー部５１の長さよりも狭くなっている。そして、第１のカラー部５１と第２のカラー部５２の間に括れ部が形成され、この括れ部を浸透膜の孔７１に嵌め込むことで、浸透膜７をクッション構造部品２Ａに固定している。
【００４７】
浸透膜７は、容器状乃至袋状に形成されている。浸透膜７の上下方向の幅は、立体網状構造部３の厚みよりも長くされている。浸透膜７の一方の端縁近傍（図中では上端近傍）は狭くされることなく、他方の端縁近傍（図中では下側近傍）は底部によって繋がっている。そして、本実施例の浸透膜７は、実施例１と異なり、底部の中央近傍に正方形の孔７１が形成され、孔７１にファン５の括れ部が嵌め込まれている。
【００４８】
次に、図９、図１０を用いて、変形例のクッション構造部品２Ｂの構成について説明する。クッション構造部品２Ｂは、立体網状構造部３と、立体網状構造部３の底面に固定手段によって固定されるファン５と、立体網状構造部３の側面及び底面を囲繞するように配置され、発泡しつつ固化することにより発泡体部６を形成する液状の発泡体原料６０が浸透可能である浸透膜７と、を備える。
【００４９】
浸透膜７は、容器状乃至袋状に形成されている。浸透膜７の上下方向の幅は、立体網状構造部３の厚みよりも長くされている。浸透膜７の一方の端縁近傍（図中では上端近傍）は狭くされることなく、他方の端縁近傍（図中では下側近傍）は底部によって繋がっている。そして、本実施例の浸透膜７は、底部の中央近傍に孔（開口部）が形成されることなく、ファン５ごと収容している。
【００５０】
次に、図１１〜図１３を用いて、ファン５の固定手段の具体例の構成について説明する。図１１（ａ）、（ｂ）に示すように、ファン５Ａは固定手段として複数の孔５２及びフォグリング５３を備えており、フォグリング５３を立体網状構造部３の底面近傍及びファン５Ａの孔５２に通したうえで締めることによって、ファン５Ａを立体網状構造部３に固定する。図１２（ａ）、（ｂ）に示すように、ファン５Ｂは固定手段として複数の掛止腕５４を備えており、掛止腕５４を立体網状構造部３の底面近傍に掛止させることで、すなわち矢印で示したように交互に移動させることで、ファン５Ｂを立体網状構造部３に仮固定できる。図１３（ａ）、（ｂ）に示すように、ファン５Ｃは固定手段として複数の掛止爪５５を備えており、掛止爪５５を立体網状構造部３の底面近傍に掛止させることで、ファン５Ｃを立体網状構造部３に仮固定できる。そして、仮固定されたファン５Ａ〜５Ｃは、発泡体原料６０が立体網状構造部３に浸透・固化する過程で、立体網状構造部６０に固定される。すなわち、発泡体原料６０は、浸透膜７を介してファン５Ａ〜５Ｃの固定手段５２〜５５の周囲にも浸透・固化するため、発泡体部６と立体網状構造部３が一体化するのと同時に、ファン５Ａ〜５Ｃも一体化（本固定）される。
【００５１】
（作用・効果）
次に、本実施例のクッション構造部品２Ａ（２Ｂ）の奏する作用・効果を列挙して説明する。
【００５２】
（１）上述してきたように、本実施例のクッション構造部品２Ａ（２Ｂ）は、弾性を有する複数の樹脂の線材が互いに絡み合いながら湾曲しつつ複数の接着点で互いに接着されることにより形成された立体網状構造部３と、立体網状構造部３の底面に固定手段によって固定されるファン５と、立体網状構造部３の側面及び底面を囲繞するように配置され、発泡しつつ固化することにより発泡体部６を形成する液状の発泡体原料６０が浸透可能である浸透膜７と、を備えている。このような構成であるため、立体網状構造部３とファン５とを一体化したうえで発泡体原料６０を発泡しつつ固化することで、作業コスト、ハーネス数を削減できる。したがって、空調シートを安価に、かつ、効率的に製造することができる。
【００５３】
発泡体原料６０が浸透膜７を介して浸透・固化する過程において、発泡体原料６０はファン５Ａ〜５Ｃの固定手段５２〜５５の周辺にも浸透・固化するため、発泡体部６と立体網状構造部３が一体化するのと同時に、ファン５Ａ〜５Ｃも一体化（本固定）される。
【００５４】
（２）また、浸透膜７の底部には孔７１が形成されるとともに、ファン５には括れ部が形成されて、ファン５の括れ部に浸透膜７の孔７１が嵌合するようになっている。このように、立体網状構造部３に固定したファン５に浸透膜７を固定することで、浸透膜７を簡単に固定できる。これにより、クッション構造部品２Ａ（２Ｂ）を一体化することができる。
【００５５】
さらに、浸透膜７の底部に孔を設けることなくファン５を収容するように形成することもできる。すなわち、浸透膜７を伸縮する素材で形成することによって、浸透膜７を伸ばしつつファン５及び立体網状構造部３を収容すれば、クッション構造部品２Ａ（２Ｂ）を一体化することができる。このように、クッション構造部品２Ａ（２Ｂ）の一体化の作業を簡単にすることができる。この場合、ファン５を覆う部分の浸透膜７は、後の工程で取り除く必要がある。
【００５６】
（３）さらに、固定手段は、フォグリング５３、掛止腕５４、又は、掛止爪５５である。このような固定手段であれば、発泡体原料６０を固定手段の周辺に回り込ませて固定することができる。なお、固定位置に所定の誤差が生じたとしても、立体網状構造部３の網状の構造によって冷気は広い範囲に分散するため、冷房効果は大きくは変わらない。
【００５７】
（４）そして、本実施例の立体網状構造部３と発泡体部６の接合体の製造方法は、弾性を有する複数の樹脂の線材が互いに絡み合いながら湾曲しつつ複数の接着点で互いに接着されることにより形成された立体網状構造部３と、液状の発泡体原料６０と、固定手段を有するファン５と、浸透膜７と、を準備する工程と；立体網状構造部３の底面に固定手段によってファン５を固定する工程と；立体網状構造部３の側面及び底面を浸透膜７で覆う工程と；浸透膜７で覆われた立体網状構造部３と、液状の発泡体原料６０と、を金型内に配置する工程と；浸透膜７を介して液状の発泡体原料６０を立体網状構造部３に含浸させる工程と；発泡体原料６０を発泡させつつ固化させる工程と；を含んでいる。このため、立体網状構造部３とファン５とを一体化したうえで発泡体原料６０を発泡しつつ固化することで、作業コスト、ハーネス数を削減できる。したがって、空調シートを安価に、かつ、効率的に製造することができる。
【００５８】
なお、この他の構成および作用効果については、前記実施の形態と略同様であるため説明を省略する。
【００５９】
以上、図面を参照して、本発明の実施例を詳述してきたが、具体的な構成は、この実施例に限らず、本発明の要旨を逸脱しない程度の設計的変更は、本発明に含まれる。
【００６０】
例えば、実施例１では、クッション構造部品２の半硬質フォーム４の下方に発泡体原料６０が回り込まない場合について説明したが、これに限定されるものではなく、半硬質フォーム４の下方に発泡体原料６０が回り込むようにしてもよい。
【００６１】
また、実施例１では、浸透膜７を半硬質フォーム４のスリット４２に押し込む場合について説明したが、これに限定されるものではなく、浸透膜７は他の固定手段によって固定することもできる。
【００６２】
また、実施例１、２では、高通気性弾性体として、立体網状構造部３を使用する例について説明したが、これに限定されるものではなく、通気性に優れた部材であればよい。ここにおいて、高通気性弾性体とは、通気度（ｃｃ／ｃｍ２／ｓｅｃ）として、２０ｃｃ/ｃｍ２/ｓｅｃ以上であり、かつ、弾性を示す物体をいうものとし、荷重を加えると変形するが、除荷すると元の形に戻る性質を有する物体である。高通気性弾性体としては、実施例で説明したような立体網状構造部３が最も好ましい。高通気性弾性体は、繊維により形成された立体網状クッション体（編まれたもの、織られたもの、ランダムに固められたもの）、発泡プラスチック（発泡ＰＰ、発泡ＥＶＡ、ポリウレタンフォーム等）、不織布、硬綿、その他の発泡材料；等から適宜選択される。特に、無膜処理を施したポリウレタンフォームは通気度と硬度を任意に調整できるため好ましい。これらの弾性体は、１種を単独で用いてもよいし、２種以上を組み合わせて用いてもよい。
【００６３】
また、実施例１、２では着座時に太腿付近となる位置に、立体網状構造部３を配置する構成について説明したが、これに限定されるものではなく、図１４、図１５に示すように、着座時に臀部や背中となる位置に立体網状構造部３を配置する構成であっても本発明を適用できる。
【符号の説明】
【００６４】
１：クッション構造
２：クッション構造部品
３：立体網状構造部（高通気性弾性体）
４：半硬質フォーム；４１：開口部；４２：スリット
５：ファン；５０：本体部；５１：カラー部
６：発泡体部；６０：発泡体原料
７：浸透膜；７１：孔
９０：治具
【図１】
0006683494.tif 000002
【図２】
0006683494.tif 000003
【図３】
0006683494.tif 000004
【図４】
0006683494.tif 000005
【図５】
0006683494.tif 000006
【図６】
0006683494.tif 000007
【図７】
0006683494.tif 000008
【図８】
0006683494.tif 000009
【図９】
0006683494.tif 000010
【図１０】
0006683494.tif 000011
【図１１】
0006683494.tif 000012
【図１２】
0006683494.tif 000013
【図１３】
0006683494.tif 000014
【図１４】
0006683494.tif 000015
【図１５】
0006683494.tif 000016